(57)【要約】【課題】水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供する。【解決手段】略中央の折れ線３１ａにより分割された２枚の扉部３１ｂ，３１ｃが上下に開閉可能なシート部３１と、シート部３１の内面に折り畳まれて収容され、シート部３１の上側の扉部３１ｃに側面に１面が貼付され、耐水性のある栽培ポット部３２とを備え、栽培ポット部３２は、底面がシート部の下側の扉部３１ｂにスライド自在に配置されていること、栽培ポット部３２を折り畳んだ状態からポット状に開いた状態に変形させるための引き手部３２５を備えること、及び、引き手部３２５は、栽培ポット部３２をポット状に開いた状態で保持する保持部３２５ｂを備えること、を特徴とする。【選択図】図１
2007082483.tif 000002
【特許請求の範囲】
【請求項１】
内面にメッセージを記載できると共に、植物の栽培ができるフラワーグリーティングカードにおいて、
略中央の折れ線により分割された２枚の扉部が上下に開閉可能なシート部と、
前記シート部の内面に折り畳まれて収容され、前記シート部の上側の扉部に側面の少なくとも１面が貼付され、耐水性のある栽培ポット部と、
を含むフラワーグリーティングカード。
【請求項２】
請求項１に記載のフラワーグリーティングカードにおいて、
前記栽培ポット部は、底面が前記シート部の下側の扉部にスライド自在に配置されていること、及び、
前記栽培ポット部に設けられ、前記栽培ポット部を折り畳んだ状態からポット状に開いた状態に変形させるための引き手部を備えること、
を特徴とするフラワーグリーティングカード。
【請求項３】
請求項１に記載のフラワーグリーティングカードにおいて、
前記引き手部は、前記栽培ポット部をポット状に開いた状態で保持する保持部を備えること、
を特徴とするフラワーグリーティングカード。
【請求項４】
請求項１に記載のフラワーグリーティングカードにおいて、
前記栽培ポット部は、前記シート部の下側の扉部に底面が貼付されていること、及び、
前記シート部を開く動作に連動して、前記栽培ポット部が折り畳んだ状態からポット状に開いた状態に変形すること、
を特徴とするフラワーグリーティングカード。
【請求項５】
内面にメッセージを記載できると共に、植物の栽培ができるフラワーグリーティングカードにおいて、
略中央の折れ線により分割された２枚の扉部が上下に開閉可能なシート部と、
前記シート部の内面に展開された状態で収容され、前記シート部の上側の扉部に側面の１面が貼付され、前記シート部の下側の扉部に底面が貼付された耐水性のある栽培ポット部とを備えていること、及び、
前記栽培ポット部は、前記シート部を開いた状態で、箱状に組み立てること、
を特徴するフラワーグリーティングカード。
【請求項６】
内面にメッセージを記載できると共に、植物の栽培ができるフラワーグリーティングカードにおいて、
略中央の折れ線により分割された２枚の扉部が左右に開閉可能なシート部と、
前記シート部の内面に折り畳まれて収容され、前記シート部の扉部に側面の少なくとも１面が貼付され、耐水性のある栽培ポット部とを備えていること、及び、
前記栽培ポット部は、前記シート部を開いた状態で、底面が前記シート部の下辺と同一平面上に配置されること、
を含むフラワーグリーティングカード。
【請求項７】
請求項１に記載のフラワーグリーティングカードにおいて、
前記栽培ポット部は、前記シート部の左右の扉部に隣あう２つの側面が貼付されていること、及び、
前記シート部を開く動作に連動して、前記栽培ポット部が折り畳んだ状態からポット状に開いた状態に変形すること、
を特徴とするフラワーグリーティングカード。
【請求項８】
請求項１から請求項７のいずれか１項に記載のフラワーグリーティングカードにおいて、
前記シート部の内面に装着され、種子及びその種子を栽培する土を備えること、
を特徴とするフラワーグリーティングカード。
【発明の詳細な説明】
【技術分野】
【０００１】
本発明は、内面にメッセージを記載できると共に、植物の栽培ができるフラワーグリーティングカードに関するものである。
【背景技術】
【０００２】
この種のフラワーグリーティングカードは、カード体を左右に開閉自在にして、カード体の中央の折れ線を挟んで内片を接着し、カード体と内片とで栽培ポットを形成して、その中に種子と土を入れて、植物を育てるようにしたものであった（例えば、特許文献１）。
【０００３】
しかし、上述した従来のカードは、カード体と内片とで栽培ポットを形成していたので、栽培時に与える水により、カード体と内片が変形したり、接着部分が剥がれてしまう可能性があった。この変形や接着部分が剥がれは、植物が生長し根が張り出すと顕著になる。  一方、栽培ポットの形状によって、底面が斜めになりチップ状の土に水を与えて膨らんだとき土の上面が水平にならず、植物の根の張りかたが片寄ってしまい正常な育成にとって、好ましいものではなかった。
また、栽培ポットは、折り畳み時の収容性をよくするため、カード体の中央近くにとりつけてあるため、栽培時に比較的高い位置になり、植物が成長すると不安定であった。
【特許文献１】実用新案登録第３１０５６２１号公報
【発明の開示】
【発明が解決しようとする課題】
【０００４】
本発明の課題は、水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供することである。
【課題を解決するための手段】
【０００５】
前記課題を解決するために、第１の発明は、内面にメッセージを記載できると共に、植物の栽培ができるフラワーグリーティングカードにおいて、略中央の折れ線により分割された２枚の扉部が上下に開閉可能なシート部と、前記シート部の内面に折り畳まれて収容され、前記シート部の上側の扉部に側面の少なくとも１面が貼付され、耐水性のある栽培ポット部と、を含むフラワーグリーティングカードを提供する。
【０００６】
第２の発明は、第１の発明のフラワーグリーティングカードにおいて、前記栽培ポット部は、底面が前記シート部の下側の扉部にスライド自在に配置されていること、及び、前記栽培ポット部に設けられ、前記栽培ポット部を折り畳んだ状態からポット状に開いた状態に変形させるための引き手部を備えること、を特徴とするフラワーグリーティングカードを提供する。
【０００７】
第３の発明は、第１の発明のフラワーグリーティングカードにおいて、前記引き手部は、前記栽培ポット部をポット状に開いた状態で保持する保持部を備えること、を特徴とするフラワーグリーティングカードを提供する。
【０００８】
第４の発明は、第１の発明のフラワーグリーティングカードにおいて、前記栽培ポット部は、前記シート部の下側の扉部に底面が貼付されていること、及び、前記シート部を開く動作に連動して、前記栽培ポット部が折り畳んだ状態からポット状に開いた状態に変形すること、を特徴とするフラワーグリーティングカードを提供する。
【０００９】
第５の発明は、内面にメッセージを記載できると共に、植物の栽培ができるフラワーグリーティングカードにおいて、略中央の折れ線により分割された２枚の扉部が上下に開閉可能なシート部と、前記シート部の内面に展開された状態で収容され、前記シート部の上側の扉部に側面の１面が貼付され、前記シート部の下側の扉部に底面が貼付された耐水性のある栽培ポット部とを備えていること、及び、前記栽培ポット部は、前記シート部を開いた状態で、箱状に組み立てること、を特徴するフラワーグリーティングカードを提供する。
【００１０】
第６の発明は、内面にメッセージを記載できると共に、植物の栽培ができるフラワーグリーティングカードにおいて、略中央の折れ線により分割された２枚の扉部が左右に開閉可能なシート部と、前記シート部の内面に折り畳まれて収容され、前記シート部の扉部に側面の少なくとも１面が貼付され、耐水性のある栽培ポット部とを備えていること、及び、前記栽培ポット部は、前記シート部を開いた状態で、底面が前記シート部の下辺と同一平面上に配置されること、を含むフラワーグリーティングカードを提供する。
【００１１】
第７の発明は、第１の発明のフラワーグリーティングカードにおいて、前記栽培ポット部は、前記シート部の左右の扉部に隣あう２つの側面が貼付されていること、及び、前記シート部を開く動作に連動して、前記栽培ポット部が折り畳んだ状態からポット状に開いた状態に変形すること、を特徴とするフラワーグリーティングカードを提供する。
【００１２】
第８の発明は、第１から第７のいずれか１つの発明のフラワーグリーティングカードにおいて、前記シート部の内面に装着され、種子及びその種子を栽培する土を備えること、を特徴とするフラワーグリーティングカードを提供する。
【発明の効果】
【００１３】
以上説明したように、本発明によれば、シート部とは別の、耐水性のある栽培ポット部を用いているので、種子チップに水を与えても、水漏れや、変形のおそれがなくなった。また、十分な容積を確保できるので、土のバランスがよくなり、根がはれて生育がよくなる。栽培ポット部は、底面が下側の扉部に載っているか、貼付されているので、植物が成長しても、安定性がよい。
【発明を実施するための最良の形態】
【００１４】
本発明は、水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供するという目的を、２枚の扉部３１ｂ，３１ｃが上下に開閉可能なシート部３１と、シート部３１の内面に折り畳まれて収容され、シート部３１の上側の扉部３１ｃに側面に１面が貼付され、下側の扉部３１ｂに底面が載っている、耐水性のある栽培ポット部３２とを備えることによって実現する。
【実施例１】
【００１５】
以下、図面等を参照して、本発明の実施例をあげて、さらに詳しく説明する。
図１は、本発明によるフラワーグリーティングカードの実施例１を示す展開斜視図である。
この実施例１のフラワーグリーティングカード３０は、シート部３１と、栽培ポット部３２とを備えている。
【００１６】
シート部３１は、略中央の折り加工で形成された折れ線３１ａにより分割された２枚の扉部３１ｂ，３１ｃが、上下に開閉可能となっている。このシート部３１は、普通紙、合成紙等の板紙や、合成樹脂やアルミニウム、木材等の板材を使用することができる。上側の扉部３１ｃは、メッセージを記載する領域３１ｃ−１が設けられており、筆記適性を持たせる表面処理を施したり、筆記適性のよい紙を貼付するようにしてもよい。下側の扉部３１ｂは、後述する引き手部３２５を挿入するスリット３１ｂ−１，３１ｂ−２が形成されている。また、シート部３１は、様々な加工を施し、装飾してもよい。
【００１７】
栽培ポット部３２は、シート部３１の内面に折り畳まれて収容されている。この栽培ポット部３２は、内容器３２１と、支持枠３２２と、外容器３２３と、飾りグリップ部３２４と、引き手部３２５と、飾り受け皿部３２６等を備えている。
内容器３２１は、耐水性のある合成紙や合成樹脂で作製された逆四角錐状の容器であり、左右の対向する２面を折り線３２１ａ，３２１ｂで内側に折って、畳むことができる。
支持枠３２２は、断面が四角形の筒体を横に倒した形状であり、上面と下面に内容器３２１を受け入れる開口３２２ａ，３２２ｂを持ち、上面と下面を折り線３２２ｃ，３２２ｄで上側に折って、畳むことができる。
【００１８】
外容器３２３は、断面が四角形の筒体を立てた形状であり、シート部３１の上側の扉部３１ｃに背面が貼付されている。この外容器３２３は、底面がシート部３１の下側の扉部３１ｂにスライド自在に配置されており、左右の側面を折り線３２３ａ，３２３ｂで外側に折って、畳むことができる。
飾りグリップ部３２４は、外容器３２３の側面のスリット３２３ｃに取り付けられ、外容器３２３をコーヒーカップに見立てるための装飾部分である。
引き手部３２５は、外容器３２３の手前側に連設されており、内容器３２１、支持枠３２２及び外容器３２３を含む栽培ポットの部分を、折り畳んだ状態からポット状に開いた状態に変形させるための部材である。この引き手部３２５は、その先端の部分を、折り線３２５ａで折ることにより、ポット状に開いた状態で保持する保持部３２５ｂを形成することができる。
飾り受け皿部３２６は、受け皿の縁部分に見立てるための装飾部分であり、両端のジグザグ状の折り曲げ部３２６ａ，３２６ｂを伸ばすことにより、扉部３１ｂから浮かせることができる。
【００１９】
図２、図３は、実施例１のフラワーグリーティングカードの使用方法を説明する図である。このフラワーグリーティングカード３０は、扉部３１ｂ，３１ｃが折り畳まれた状態で、図示しない樹脂袋に封入されている。このフラワーグリーティングカード３０は、樹脂袋から取り出した状態で、図２の矢印Ａのように、扉部３１ｃを扉部３１ｂと略９０度の角度となるまで開く。このとき、扉部３１ｃの領域３１ｃ−１に記載されたメッセージは、読むことができる状態となる。また、栽培ポット部３２は、扉部３１ｃ側に折り畳まれた状態である。
【００２０】
図３に示すように、栽培ポット３２は、引き手部３２５を矢印Ｂ方向に引くことにより、内容器３２１、支持枠３２２及び外容器３２３を含む栽培ポットの部分も、矢印Ｃ方向に折り畳んだ状態からポット状に開いた状態に変形する。
つぎに、引き手部３２５は、その先端の部分を、折り線３２５ａで矢印Ｄのように折ることにより、保持部３２５ｂを扉部３１ｂの下側に挿入し、ポット状の部分を開いた状態で保持することができる。
さらに、飾り受け皿部３２６は、両端の折り曲げ部３２６ａ，３２６ｂを矢印Ｅに示すように、上に伸ばすことにより、扉部３１ｂから浮かせる。
【００２１】
最後に、別に用意された種子チップ３５を、袋３５ａから出して、栽培ポット３２に入れる。ここで、種子チップ３５は、種子及びその種子を栽培する土を固めた円盤状のチップである。この種子チップ３５は、種子と土、必要であれば、肥料等を圧縮して成形したものである。この種子チップ３５は、栽培ポット部３２に入れて、水を与えると土が膨らみ、種子が数日で発芽する。種子は、その種類は問わないが、ハーブ類は育成が速く好適であり、また、直ぐに花が咲くものに限らない。種子チップ３５は、割れたりした場合を考慮して、紙製や合成樹脂製の袋３５ａに入れておくことが好ましい。
【００２２】
本実施例によれば、耐水性のある栽培ポット部３２を用いているので、種子チップ３５に水を与えても、水漏れや、変形のおそれがなくなった。また、十分な容積を確保できるので、土の安定性が図れ、根がはれて生育がよくなる。
【００２３】
また、外容器３２３の背面がシート部３１の上側の扉部３１ｃに貼付され、外容器３２３の底面がシート部３１の下側の扉部３１ｂにスライド自在に配置されており、外容器３２３に引き手部３２５を設けたので、内容器３２１、支持枠３２２及び外容器３２３を含む栽培ポットの部分を、折り畳んだ状態からポット状に開いた状態に変形させることができる。さらに、引き手部３２５の先端の部分を、折り線３２５ａで折ることにより保持部３２５ｂを形成するので、ポット状に開いた状態で保持することができる。
さらに、栽培ポット部３２は、底面が下側の扉部３１ｂに載っているので、植物が成長しても、安定性がよい。
【実施例２】
【００２４】
図４は、本発明によるフラワーグリーティングカードの実施例２を開いた状態で示す斜視図である。
なお、以下に示す各実施例は、前述した実施例１と同様な機能を果たす部分には、末尾に統一した符号を付して、重複する説明や図面を適宜省略する。
実施例２のフラワーグリーティングカード４０は、水平断面が四角形の筒型で、底面のある栽培ポット部４２を用いたことを特徴としたものである。
栽培ポット部４２は、底面がシート部４１の下側の扉部４１ｂに貼付されており、背面が上側の扉部４１ｃに貼付されている。そして、この栽培ポット部４２は、扉部４１ｂ，４１ｃを閉じたときに、左右の側面に形成された折り線４２ａ，４２ｂ，４２ｃ、４２ｄと、前面に形成された折り線４２ｅにより、折り畳むことができる。栽培ポット部４２は、底面が下側の扉部４１ｂに貼付されているので、植物が成長しても、安定性がよい。
また、この実施例では、種子チップ４５を入れた袋４５ａは、シート部４１の扉部４１ｂの内面に装着されている。
【００２５】
図５は、本発明によるフラワーグリーティングカードの実施例２の変形例を開いた状態で示す斜視図である。
変形例のフラワーグリーティングカード４０Ａは、扉部４１ｂ，４１ｃの間に、扉部４１ｂ，４１ｃの開閉により、立ち上がった状態と折り畳んだ状態とに変形する飾りテーブル部４６が形成されている。また、このフラワーグリーティングカード４０Ａは、扉部４１ｃに飾り窓部４１ｃ−１が形成されている。その他の部分は、図２のフラワーグリーティングカード４０と同じである。
【実施例３】
【００２６】
図６は、本発明によるフラワーグリーティングカードの実施例３を開いた状態で示す平面図である。
実施例３のフラワーグリーティングカード５０は、シート部５１の扉部５１ｂ，５１ｃの間に、展開された栽培ポット部５２が装着されている。この栽培ポット部５２は、底面５２ａ，前面５２ｂ，背面５２ｃ，左側面５２ｄ及び右側面５２ｅと、前面５２ｂ，背面５２ｃ，左側面５２ｄ及び右側面５２ｅの外側にそれぞれ連設された折り返し部５２ｆ，５２ｇ，５２ｈ，５２ｉと、背面５２ｃ，右側面５２ｅ，前面５２ｂ及び左側面５２ｄの間をそれぞれ接続する１／４円形の接続部５２ｊ，５２ｋ，５２ｍ，５２ｎとを備えている。この栽培ポット部５２は、底面５２ａがシート部５１の下側の扉部５１ｂに貼付されており、背面５２ｃが上側の扉部５１ｃに貼付されている（図６の斜線で示した部分）。
【００２７】
図７〜図９は、実施例３のフラワーグリーティングカードの使用方法を説明する図である。このフラワーグリーティングカード５０は、図７の矢印Ａに示すように、シート部５１の扉部５１ｃを上側に開くと、底面５２ａが扉部５１ｂに付いたまま、背面５２ｃが起き上がってくる。ここで、接続部５２ｊ，５２ｋ，５２ｍ，５２ｎを内側に折り畳むように変形する。ついで、図８に示すように、折り返し部５２ｆ，５２ｇ，５２ｈ，５２ｉを矢印Ｆに示すように、内側に折り返すと、図９に示すように、自立した栽培ポット部５２が完成する。
【実施例４】
【００２８】
図１０は、本発明によるフラワーグリーティングカードの実施例４を開いた状態で示す斜視図である。
実施例４のフラワーグリーティングカード６０は、シート部６１の扉部６１ｂ，６１ｃが左右に開く形態である。この栽培ポット部６２は、シート部６１を開いた状態で、底面６２ａが扉部６１ｂ，６１ｃの下辺と同一平面となるように配置されている。従って、栽培ポット部６２は、底面６２ａがテーブル等に直接載るようになるので、植物が成長しても、安定性がよい。
また、この栽培ポット部６２は、シート部６１の左右の扉部６１ｂ，６１ｃに、隣あう２つの側面６２ｃ，６２ｅが貼付されており、他の２つの側面６２ｂ，６２ｄには、折り線が形成されている。このため、シート部６１を開く動作に連動して、栽培ポット部６２が折り畳んだ状態からポット状に開いた状態に変形する。
【００２９】
また、実施例４は、種子６５Ａを入れた袋６５ａと、土を固めた土チップ６５Ｂを入れた袋６５ｂとを、別の袋６５ｃに入れてある。
【実施例５】
【００３０】
図１１は、本発明によるフラワーグリーティングカードの実施例５を開いた状態で示す斜視図である。
実施例５のフラワーグリーティングカード７０は、シート部７１の扉部７１ｂ，７１ｃが左右に開く形態である点、シート部７１を開いた状態で、底面７２ａが扉部７１ｂ，７１ｃの下辺と同一平面となるように配置されている点が実施例４と同じである。
この栽培ポット部７２は、シート部７１の左側の扉部６１ｂに、１つの側面７２ｃが貼付されており、側面７２ｃを挟む他の２つの側面７２ｄ，６２ｅには、折り線が形成されている点が異なる。このため、シート部６１を開いたあとに、栽培ポット部６２を折り畳んだ状態からポット状に開いた状態に変形させる。
【実施例６】
【００３１】
図１２は、本発明によるフラワーグリーティングカードの実施例６を開いた状態で示す平面図である。
実施例６のフラワーグリーティングカード８０は、シート部８１の扉部８１ｂ，８１ｃの間に、展開された栽培ポット部８２が装着されている。この栽培ポット部８２は、底面８２ａがシート部８１の下側の扉部８１ｂの折れ線８１ａより内側（中央寄り）に貼付されている（図１１の斜線で示した部分）。
この栽培ポット部８２は、正方形の底面８２ａ，前面８２ｂ，背面８２ｃ，左側面８２ｄ及び右側面８２ｅと、背面８２ｃ，右側面８２ｅ，前面８２ｂ及び左側面８２ｄの間をそれぞれ接続する１／４円形の接続部８２ｊ，８２ｋ，８２ｍ，８２ｎとを備えている。また、接続部８２ｊ，８２ｋ，８２ｍ，８２ｎは、半径方向に形成された折り線Ｈ，Ｉ，Ｊで折り返して前面８２ｂ，背面８２ｃ，左側面８２ｄ及び右側面８２ｅを斜めに立てた状態にすることができる。
これらの接続部８２ｊ，８２ｋ，８２ｍ，８２ｎは、それぞれ中央で山折りされる折り線Ｈと、折り線Ｈの両側の対称な位置で谷折される折り線Ｉ，Ｊとが形成されている。また、これらの接続部８２ｊ，８２ｋ，８２ｍ，８２ｎは、折り線Ｈと折り線Ｉ，Ｊとで囲まれる領域（細かいハッチングで示してある）の裏面側に、面ファスナー８２ｐが設けられている。この面ファスナー８２ｐは、接続部８２ｊ，８２ｋ，８２ｍ，８２ｎを折った状態で接合して、栽培ポット部８２を立てた状態に維持することができる。なお、面ファスナーは、接続部を保持できるものであれば、両面テープや接着剤等であってもよい。
【００３２】
図１３は、実施例６のフラワーグリーティングカードの使用方法を説明する図である。このフラワーグリーティングカード８０は、図１３の矢印Ａに示すように、シート部８１の扉部８１ｃを上側に開くと、底面８２ａが扉部８１ｂに付いたままである。ここで、背面８２ｃ，右側面８２ｅ，前面８２ｂ及び左側面８２ｄを矢印Ｇのように起き上げる。ついで、接続部８２ｊ，８２ｋ，８２ｍ，８２ｎを内側に折り畳むように変形する。すると、裏面側に設けられた面ファスナー８２ｐによって、接続部８２ｊ，８２ｋ，８２ｍ，８２ｎを折った状態で接合して、立てた状態を維持することができ、自立した栽培ポット部８２が完成する。
【００３３】
図１４は、実施例６のフラワーグリーティングカードの栽培ポット部の変形例を示す図である。変形例の栽培ポット部８２Ａは、展開状態で外形線が円形であり、自立させたときに花びらのようになり、デザイン性に優れている。
【実施例７】
【００３４】
図１５は、本発明によるフラワーグリーティングカードの実施例７のシート部を示す平面図である。図１６は、実施例７のフラワーグリーティングカードを開いた状態を示す斜視図である。実施例７のシート部９１は、２枚の扉部９１ｂ，９１ｃを開いた状態（図１６の状態）で支持する支持部材となるサイドステイ部９１ｄを備えている。このサイドステイ部９１ｄは、扉部９１ｃの両側の下端（折り線９１ａ寄り）に、一体に形成されている。このサイドステイ部９１ｄは、１／４の円の基部９１ｄ−１と、扉部９１ｂに貼り合わせるために糊代部９１ｄ−２とを備えている。基部９１ｄ−１は、２枚の扉部９１ｂ，９１ｃを折り畳んだときに折り曲げられる中央半径方向の折り筋９１ｄ−３と、２枚の扉部９１ｂ，９１ｃを開いた状態（開いた角度が９０度の状態）で、円弧状に内側に折り返して、開いた状態を維持するための折り筋９１ｄ−４が形成されている。
【００３５】
図１６に示すように、扉部９１ｃは、矢印Ａの方向に開き、扉部９１ｂと略９０度の角度となるまで開く。その後に、左右のサイドステイ部９４は、折り筋９１ｄ−４を内側に折り返すことにより、扉部９１ｃが扉部９１ｂに対して、傾くことを防止することができる。このように、実施例７は、２枚の扉部９１ｂ，９１ｃを開いた状態で支持するサイドステイ部９１ｄを設けたので、シート部９１を開いたときに、扉部９１ｃが傾いて閉じてしまうことがない。なお、栽培ポット部は、図示を省略してあるが、前述した実施例のいずれの形態のものでも採用することができる。また、サイドステイ部は、片側１つであってもよい。
【００３６】
（変形例）
以上説明した実施例に限定されることなく、種々の変形や変更が可能であって、それらも本発明の均等の範囲内である。
例えば、実施例１の内容器は、逆円錐形であってもよい。
また、いずれの実施例でも、種子と土の入った袋と、フラワーグリーティングカードは、複数種類別々に展示しておき、顧客が自由に選択して組み合わせられるようにしてもよい。この場合には、種子と土の入った袋は、実施例２のように、フラワーグリーティングカードに貼り付ける必要はない。
実施例６の栽培ポット部は、シート部のデザインによって、扉部のいずれの位置の貼付してもよい。また、実施例７のサイドステイ部を着けることにより、どの位置でも栽培ポット部を自立させることができる。
【図面の簡単な説明】
【００３７】
【図１】本発明によるフラワーグリーティングカードの実施例１を示す展開斜視図である。
【図２】実施例１のフラワーグリーティングカードの使用方法を説明する。
【図３】実施例１のフラワーグリーティングカードの使用方法を説明する。
【図４】本発明によるフラワーグリーティングカードの実施例２を開いた状態で示す斜視図である。
【図５】本発明によるフラワーグリーティングカードの実施例２の変形例を開いた状態で示す斜視図である。
【図６】本発明によるフラワーグリーティングカードの実施例３を開いた状態で示す平面図である。
【図７】実施例３のフラワーグリーティングカードの使用方法を説明する図である。
【図８】実施例３のフラワーグリーティングカードの使用方法を説明する図である。
【図９】実施例３のフラワーグリーティングカードの使用方法を説明する図である。
【図１０】本発明によるフラワーグリーティングカードの実施例４を開いた状態で示す斜視図である。
【図１１】本発明によるフラワーグリーティングカードの実施例５を開いた状態で示す斜視図である。
【図１２】本発明によるフラワーグリーティングカードの実施例６を開いた状態で示す平面図である。
【図１３】実施例６のフラワーグリーティングカードの使用方法を説明する図である。
【図１４】実施例６のフラワーグリーティングカードの栽培ポット部の変形例を示す図である。
【図１５】本発明によるフラワーグリーティングカードの実施例７のシート部を示す平面図である。
【図１６】実施例７のフラワーグリーティングカードを開いた状態を示す斜視図である。
【符号の説明】
【００３８】
３０、４０、５０、６０、７０、８０  フラワーグリーティングカード
３１、４１、５１、６１、７１、８１、９１  シート部
３２、４２、５２、６２、７２、８２  栽培ポット部
３５、４５  種子チップ
６５Ａ  種子
６５Ｂ  土チップ
【図１】
2007082483.tif 000003
【図２】
2007082483.tif 000004
【図３】
2007082483.tif 000005
【図４】
2007082483.tif 000006
【図５】
2007082483.tif 000007
【図６】
2007082483.tif 000008
【図７】
2007082483.tif 000009
【図８】
2007082483.tif 000010
【図９】
2007082483.tif 000011
【図１０】
2007082483.tif 000012
【図１１】
2007082483.tif 000013
【図１２】
2007082483.tif 000014
【図１３】
2007082483.tif 000015
【図１４】
2007082483.tif 000016
【図１５】
2007082483.tif 000017
【図１６】
2007082483.tif 000018